(57)【要約】【課題】  全く使われることのないチャンネルプリセット用データを保存することがなく、かつチャンネルプリセットを効率よく実行できるようにする。【解決手段】  通信Ｉ／Ｆ１２１を介して外部サーバー１２４から、居住地域で受信可能なチャンネル情報を取得してダウンロードデータ一時保存メモリ１２５に一時保存し、保存したチャンネル情報に基づいて、チャンネルポジション毎に選局データを設定データ保存メモリ１１９に保存してチャンネルプリセットを行なうようにした受信装置において、選局データに有効期限を付加して、有効期限が切れたら新たにサーバー１２４から取得したチャンネル情報に基づいて、再チャンネルプリセットを行なう。また、同一事業者の同じ放送を異なるチャンネルで実施している環境を含む地域において全ての受信可能チャンネルに識別情報を付してチャンネルプリセットを識別情報に基づいて実行するように構成した。、【選択図】  図１
2005159810.tif 000002
【特許請求の範囲】
【請求項１】
選局データに基づき複数の放送チャンネルの1つを選択的に受信することが可能なチューナと、
複数のチャンネルポジションのそれぞれに選局データを対応させて記憶する記憶手段を有し、前記チャンネルポジションの一つが選択された際に、対応する選局データを前記チューナに供給する選局手段と、
前記選局データの期限情報を記憶する期限情報記憶手段と、
地域毎の受信可能な放送チャンネル情報を蓄積するサーバーから前記期限情報に基づいて前記放送チャンネル情報を取得する放送チャンネル情報取得手段と、
前記取得した放送チャンネル情報に基づき、前記選局データを更新する更新手段と、
を具備したことを特徴とする放送受信装置。
【請求項２】
選局データに基づき複数の放送チャンネルの1つを選択的に受信することが可能なチューナと、
複数のチャンネルポジションのそれぞれに選局データを対応させて記憶する記憶手段を有し、前記チャンネルポジションの一つが選択された際に、対応する選局データを前記チューナに供給する選局手段と、
前記選局データの期限情報を記憶する期限情報記憶手段と、
地域毎の受信可能な放送チャンネル情報を蓄積するサーバーから当該放送チャンネル情報を取得する放送チャンネル情報取得手段と、
前記期限情報と前記取得した放送チャンネル情報に基づき、前記選局データを更新する更新手段と、
を具備したことを特徴とする放送受信装置。
【請求項３】
選局データに基づき複数の放送チャンネルの1つを選択的に受信することが可能なチューナと、
同一放送事業者による同一内容の放送が異なる放送チャンネルで放送される環境を含む地域における受信可能な放送チャンネル情報をそれぞれ区別することが可能な識別情報を記憶する識別情報記憶手段と、
複数のチャンネルポジションのそれぞれに前記識別情報のいずれかを対応させて記憶するチャンネルポジション記憶手段を有し、前記チャンネルポジションの一つが選択された際に、そのチャンネルポジションに記憶された前記識別情報に対応する放送チャンネル情報を前記識別情報記憶手段から読み出して選局データとして前記チューナに供給する選局手段と、
を具備したことを特徴とする放送受信装置。
【請求項４】
選局データに基づき複数の放送チャンネルの1つを選択的に受信することが可能なチューナに供給する前記選局データを複数のチャンネルポジションのそれぞれに対応させて記憶するステップと、
前記選局データの期限情報を記憶するステップと、
地域毎の受信可能な放送チャンネル情報を蓄積するサーバーから前記期限情報に基づいて前記放送チャンネル情報を取得するステップと、
前記取得した放送チャンネル情報に基づき、前記選局データを更新するステップと、
を具備したことを特徴とする放送受信方法。
【請求項５】
選局データに基づき複数の放送チャンネルの1つを選択的に受信することが可能なチューナに供給する前記選局データを複数のチャンネルポジションのそれぞれに対応させて記憶するステップと、
前記選局データの期限情報を記憶するステップと、
地域毎の受信可能な放送チャンネル情報を蓄積するサーバーから当該放送チャンネル情報を取得するステップと、
前記期限情報と前記取得した放送チャンネル情報に基づき、前記選局データを更新するステップと、
を具備したことを特徴とする放送受信方法。
【請求項６】
選局データに基づき複数の放送チャンネルの1つを選択的に受信することが可能なチューナに供給する前記選局データを複数のチャンネルポジションのそれぞれに対応させて記憶するステップと、
同一放送事業者による同一内容の放送が異なる放送チャンネルで放送される環境を含む地域における受信可能な放送チャンネル情報をそれぞれ区別することが可能な識別情報を記憶するステップと、
複数のチャンネルポジションのそれぞれに前記識別情報のいずれかを対応させて記憶し、前記チャンネルポジションの一つが選択された際に、そのチャンネルポジションに記憶された前記識別情報に対応する放送チャンネル情報を読み出して選局データとして前記チューナに供給するステップと、
を具備したことを特徴とする放送受信方法。
【発明の詳細な説明】
【技術分野】
【０００１】
この発明は、テレビジョン放送受信装置及び受信方法に関し、特に、今後実施される地上波デジタル放送によって、現行のアナログ放送チャンネルが変更された際に、それに対応して、新たなチャンネルプリセットを確実に実行することを可能にした放送受信装置及び放送受信方法に関する。
【背景技術】
【０００２】
地上波テレビジョン放送のデジタル化は、２００３年１２月から一部の地域で実施され、２００６年から全国展開され、２０１１年には全ての地域において、アナログ放送に取って代わってデジタル放送が実施されることになっている。
【０００３】
地上波デジタル放送は、現行のＵＨＦ（UltraHigh Frequency）帯を利用するアナログ放送と同じ、チャンネル１３から６２によって実行されることになっており、当初は、現行のアナログ放送と共存した形態で実施される。
【０００４】
したがって、デジタル放送のチャンネルが現行のアナログ放送のチャンネルと競合するという事態も発生することがあり、そのような場合に、アナログ放送のチャンネルを他のチャンネルに変更して対応することになっている。
【０００５】
市販されている地上波アナログテレビジョン受信器においては、通常、リモートコントローラが付属され、放送チャンネルの切換えは、このリモートコントローラの数字キーを用いて行なう。リモートコントローラの数字キーは、実際には、テレビジョン受信器の選局ポジションを選択するためのものであり、複数の選局ポジションに割り振られた放送局（チャンネル）を間接的に選局していることになる。
【０００６】
したがって、ユーザは、例えば、新たにテレビジョン受信器を購入した際には、複数の選局ポジションに受信可能な放送局を割り付ける、いわゆるチャンネルプリセットという作業をする必要がある。
【０００７】
このチャンネルプリセット作業を簡単に実行するために、テレビジョン受信器は、全国各地で受信可能な放送局（チャンネル番号）と、チャンネルポジション番号を対応付けたテーブルをメモリに備えており、ユーザが例えば、日本全国の放送設備に対応して割り振られた地域番号を入力することで、自動的にチャンネルプリセットを実行する機能を備えている。
【０００８】
この放送局チャンネル番号とポジション番号を対応付けたテーブルを構成するデータは、メーカが受信器を出荷する時点でのデータであり、その後、放送局のチャンネルが変更されたりすると、そのチャンネルについてプリセットし直さないと、受信することができず、ユーザは手動で、その変更された放送局のプリセット作業を行なわなくてはならない。また、日本全国に対応したデータを備えているために、データ量が膨大になってメモリとしても相当の容量のものが必要になる。
【０００９】
放送チャンネルの変更は、めったに実施されることはなく、一度、チャンネルプリセットを実行すれば新たなプリセット作業を行なう必要が発生することはまずないといってよかったが、地上波デジタル放送が開始されることで、前述のように現行のアナログ放送チャンネルが他のチャンネルに変更になることがあり、その際には、新たなチャンネルプリセット作業を実行する必要がある。
【００１０】
今後、デジタル地上波放送が行なわれる地域が増えると、新たに受信可能な放送局も増えることになり、そのチャンネルを受信するには、都度、チャンネルプリセットを実行しなくてはならない。
【００１１】
以上のように、従来のテレビジョン受信器においては、受信可能放送局とチャンネルポジションを対応付けたテーブルを日本全国分備えていなくてはならず、相当のメモリ容量が必要になり、また、そのテーブルを構成するデータが、受信器の出荷時点のものに限定されて、出荷後にチャンネルが変更になったり、あるいは増加した場合にはそれに対応していないため、ユーザが手動でチャンネルプリセットを実行しなくてはならないという問題を有している。
【００１２】
そこで、例えば特許文献１に示すように、各地域毎に放送されている放送局に関連した周波数を含むデータを取得するインターフェースを備え、このインターフェースによって取得されたデータに基づいて、チャンネルのプリセットを行なうようにした提案がなされている。この提案によれば、受信器本体に日本各地の受信可能放送局と、ポジション番号を対応付けたテーブルを用意する必要がないため、大きな容量のメモリを必要とせずコスト低減が可能となる。
【００１３】
しかしながら、この特許文献１では、ユーザが入力手段を操作してデータ更新指令を入力することで、インターフェースを介してデータを取得するものであり、実際にデータが更新されていないにも関わらず、データを取得したり、逆に、データが更新されているにも関わらず、ユーザが更新指令を入力せず、データが更新されないという問題が発生する。
【特許文献１】特開２００３−２４４５６６号公報（３，４頁、図１，５，６）
【発明の開示】
【発明が解決しようとする課題】
【００１４】
上記、特許文献１に示された提案では、放送局に関連した周波数を含む外部データをインターフェースを介して取得するようにしているので、メモリの容量が少なくて済むものの、実際の外部データの取得を、ユーザの指示に基づいて行っているため、ユーザの指示が適切に行なわれずに、外部のデータが更新されていないにも関わらずデータを取得する指令を出してしまったり、逆に、外部データが更新されているにも関わらず、ユーザの指示がなくてデータを取得することができないという問題が発生する虞がある。
【００１５】
本発明は、以上の点に対処してなされたものであり、外部サーバに蓄えられたデータを、それが更新されたタイミングで適切に取得して、チャンネルプリセットを実行するように構成することで、放送局とチャネルポジションに関するデータを記憶するメモリの容量を低減させることが可能であり、しかも、常に最新のデータを外部サーバから取得することができるようにした放送受信装置及び放送受信方法を提供することを目的とする。
【課題を解決するための手段】
【００１６】
上記目的を達成するために本発明の一実施形態に係る放送受信装置は、選局データに基づき複数の放送チャンネルの1つを選択的に受信することが可能なチューナと、複数のチャンネルポジションのそれぞれに選局データを対応させて記憶する記憶手段を有し、前記チャンネルポジションの一つが選択された際に、対応する選局データを前記チューナに供給する選局手段と、前記選局データの期限情報を記憶する期限情報記憶手段と、地域毎の受信可能な放送チャンネル情報を蓄積するサーバーから前記期限情報に基づいて前記放送チャンネル情報を取得する放送チャンネル情報取得手段と、前記取得した放送チャンネル情報に基づき、前記選局データを更新する更新手段と、を具備したことを特徴とする。
【００１７】
また、本発明の放送受信装置は、選局データに基づき複数の放送チャンネルの1つを選択的に受信することが可能なチューナと、複数のチャンネルポジションのそれぞれに選局データを対応させて記憶する記憶手段を有し、前記チャンネルポジションの一つが選択された際に、対応する選局データを前記チューナに供給する選局手段と、前記選局データの期限情報を記憶する期限情報記憶手段と、地域毎の受信可能な放送チャンネル情報を蓄積するサーバーから当該放送チャンネル情報を取得する放送チャンネル情報取得手段と、前記期限情報と前記取得した放送チャンネル情報に基づき、前記選局データを更新する更新手段と、を具備したことを特徴とする。
【００１８】
さらに本発明の放送受信装置は、選局データに基づき複数の放送チャンネルの1つを選択的に受信することが可能なチューナと、同一放送事業者による同一内容の放送が異なる放送チャンネルで放送される環境を含む地域における受信可能な放送チャンネル情報をそれぞれ区別することが可能な識別情報を記憶する識別情報記憶手段と、複数のチャンネルポジションのそれぞれに前記識別情報のいずれかを対応させて記憶するチャンネルポジション記憶手段を有し、前記チャンネルポジションの一つが選択された際に、そのチャンネルポジションに記憶された前記識別情報に対応する放送チャンネル情報を前記識別情報記憶手段から読み出して選局データとして前記チューナに供給する選局手段と、を具備したことを特徴とする。
【００１９】
また、本発明の放送受信方法は、選局データに基づき複数の放送チャンネルの1つを選択的に受信することが可能なチューナに供給する前記選局データを複数のチャンネルポジションのそれぞれに対応させて記憶するステップと、前記選局データの期限情報を記憶するステップと、地域毎の受信可能な放送チャンネル情報を蓄積するサーバーから前記期限情報に基づいて前記放送チャンネル情報を取得するステップと、前記取得した放送チャンネル情報に基づき、前記選局データを更新するステップと、を具備したことを特徴とする。
【００２０】
さらに本発明の放送受信方法は、選局データに基づき複数の放送チャンネルの1つを選択的に受信することが可能なチューナに供給する前記選局データを複数のチャンネルポジションのそれぞれに対応させて記憶するステップと、前記選局データの期限情報を記憶するステップと、地域毎の受信可能な放送チャンネル情報を蓄積するサーバーから当該放送チャンネル情報を取得するステップと、前記期限情報と前記取得した放送チャンネル情報に基づき、前記選局データを更新するステップと、を具備したことを特徴とする。
【００２１】
さらにまた、本発明の放送受信方法は、選局データに基づき複数の放送チャンネルの1つを選択的に受信することが可能なチューナに供給する前記選局データを複数のチャンネルポジションのそれぞれに対応させて記憶するステップと、同一放送事業者による同一内容の放送が異なる放送チャンネルで放送される環境を含む地域における受信可能な放送チャンネル情報をそれぞれ区別することが可能な識別情報を記憶するステップと、複数のチャンネルポジションのそれぞれに前記識別情報のいずれかを対応させて記憶し、前記チャンネルポジションの一つが選択された際に、そのチャンネルポジションに記憶された前記識別情報に対応する放送チャンネル情報を読み出して選局データとして前記チューナに供給するステップと、を具備したことを特徴とする。
【発明の効果】
【００２２】
本発明によれば、受信装置内に大容量のメモリを備える必要がなく、しかもチャンネルプリセットのためのデータを効率よく取得することができるものである。
【発明を実施するための最良の形態】
【００２３】
以下、図面を参照しながら本発明の放送受信装置の実施の形態について詳細に説明する。
図１は本発明の放送受信装置１００の回路ブロック図である。  
図１において、放送受信装置１００は、ＶＨＦ（Very High Frequency）放送受信用のアンテナ１０１が接続されるアンテナ入力端子１０２と、ＵＨＦ放送受信用のアンテナ１０３が接続されるアンテナ入力端子１０４を有する。
【００２４】
アンテナ入力端子１０２はＶＨＦチューナ１０５に接続され、アンテナ１０１でキャッチされた放送信号をＶＨＦチューナ１０５に導く。ＶＨＦチューナ１０５では、選局回路部１０６からの選局信号に基づいてチャンネル１から１２の中から所望のチャンネルを選局し、選局したチャンネルの受信信号を中間周波数信号に変換して出力する。
【００２５】
また、アンテナ入力端子１０４はＵＨＦチューナ１０７に接続され、アンテナ１０３でキャッチされた放送信号をＵＨＦチューナ１０７に導く。ＵＨＦチューナ１０７では、選局回路部１０６からの選局信号に基づいてチャンネル１３から６２の中で所望チのャンネルを選局し、選局したチャンネルの受信信号を中間周波数信号に変換して出力する。
【００２６】
ＶＨＦチューナ１０５、ＵＨＦチューナ１０７から出力される中間周波数信号は、中間周波数信号処理部１０８に供給されて増幅処理された後、映像信号復調部１０９に導出されて復調され、ベースバンドのコンポジット映像信号として映像信号処理部１１０に供給される。
【００２７】
映像信号処理部１１０では、映像信号に対して色彩、色相、輝度、コントラスト等の調整を施して表示部１１１に供給して表示させる。また、映像信号処理部１１０は、映像信号復調部１０９から出力される映像信号に代えて、グラフィックプロセッサ１１２で生成された例えばＧＵＩ（Graphical User Interface）形式の表示画面情報を表示部１１１に表示させるように動作する。
【００２８】
また、中間周波数信号処理部１０８からは、音声中間周波数信号が抽出され、これが音声復調部１１３で復調されてベースバンドの音声信号として音声信号処理部１１４に出力される。音声信号処理部１１４では、音声信号に対して音量、音質等の調整を施して、スピーカ等で構成される音声出力部１１５に供給して、音声出力部１１５から音声として出力する。
【００２９】
さらに、受信装置１００は、ＭＰＵ（Micro Processing Unit）で構成される制御部１１６を備え、この制御部１１６によって、装置１００全体の機能、動作の設定と調整を実行する。
【００３０】
制御部１１６には、各種処理を実行するための処理プログラム・コードが記憶されたＲＯＭ（Read Only Memory）１１７が接続される他、ワークメモリとしてのＲＡＭ（Random Access Memory）１１８が接続されている。また、ＲＯＭ１１７には、ＧＵＩ形式の画像情報を生成するソフトと、グラフィックプロセッサ１１２でグラフィックとして生成される記号、文字、キャラクタ等のデータも記憶されている。また、制御部１１６は、現在時刻を得るための時計機能を備える。
【００３１】
さらに制御部１１６には、装置１００の機能及び動作を設定するためのデータを記憶しておく設定データ保存メモリ１１９が接続され、ここにチャンネルプリセットデータ、初期設定データ等が記憶される。設定データ保存メモリ１１９は、例えば書込み可能な不揮発性メモリで構成される。
【００３２】
さらに制御部１１６には、ユーザが装置１００の機能、動作の設定、調整を行なうための操作入力部１２０が接続されている。操作入力部１２０は、装置１００の例えば前面パネルに設けられた複数の操作スイッチと、図示しないリモートコントローラからのリモートコントロール信号を受ける受信部で構成される。
【００３３】
さらにまた、制御部１１６には、通信Ｉ／Ｆ（Interface）１２１が接続され、この通信Ｉ／Ｆ１２１は、端子１２２を介してイーサネット（登録商標）等のネットワーク１２３に接続されており、制御部１１６は、この通信Ｉ／Ｆ１２１を介して、ネットワーク１２３に接続されたサーバー１２４にアクセスし、サーバー１２４に蓄積されたデータをダウンロードすることが可能である。ダウンロードされたデータを蓄積するために制御部１１６にはダウンロードデータ一次保存メモリ１２５が接続されている。
【００３４】
以上のように構成された装置１００において、ＶＨＦチューナ１０５、ＵＨＦチューナ１０７の選局動作は、ユーザが操作入力部１２０を操作するかあるいはリモートコントローラを操作して、制御部１１６に対して選局の指示を行い、それを受けて制御部１１６が選局回路部１０６に対して選局信号を出力し、選局回路部１０６がＶＨＦチューナ１０５、ＵＨＦチューナ１０７を制御することで実行される。
【００３５】
ユーザによる選局指示は、実際には選局ポジションを選択する指示であり、選局ポジションに対応させて、実際の放送チャンネルを選局するための選局信号（データ）が設定データ保存メモリ１１９に予め記憶されており、制御部１１６は、ユーザの指示を受けてその選局ポジションに対応する選局信号を設定データ保存メモリ１１９から読み出して、それを選局回路部１０６に供給する。
【００３６】
選局回路部１０６は例えば周波数シンセサイザ方式の選局回路として構成され、選局信号は、ＰＬＬ（Phase Locked Loop）ループに組み込まれるプログラマブル分周器に対して与えられる分周係数を主体に構成され、それにＶＨＦとＵＨＦとを区別する情報と、ＶＨＦにおける低域バンドと高域バンドを区別する情報を含む。
【００３７】
このように、設定データ保存メモリ１１９には、チャンネルポジション番号と、実際に所望の放送チャンネルを受信するためのデータが対応されて記憶されており、放送を受信するには、予め放送チャンネルを受信するためのデータを選局ポジション番号に対応付けて記憶させる、いわゆるチャンネルプリセット作業が必要となる。
【００３８】
従来では、前述したように、日本全国の各地域毎に受信可能な放送チャンネルを選局するためのデータと、ポジション番号とを対応付けたテーブルを備え、それに基づいてチャンネルプリセットを行なっていたが、本発明では、通信Ｉ／Ｆ１２１とネットワーク１２３を介してサーバー１２４から、プリセットに必要なデータをダウンロードし、それによって得られたデータに基づいてチャンネルプリセットを実行するように構成している。
【００３９】
すなわち、ユーザは、リモートコントローラあるいは操作入力部１２０を操作して、制御部１１６を駆動し、表示部１１１に、例えば図２に示すＧＵＩ形式の表示を行なう。さらにリモートコントローラあるいは操作入力部１２０を操作して、テレビジョン受信装置１００が設置されている場所（居住地）の郵便番号を入力することで、制御部１１６がそれを受けて、通信Ｉ／Ｆ１２１を介して、ネットワークにアクセスし、サーバー１２４からチャンネルプリセットのためのデータを取得して、これをダウンロードデータ一時保存メモリ１２５に記憶させる。
【００４０】
例えば、居住地が東京立川であった場合、一時保存メモリ１２５には、図３に示すようなチャンネルポジションと放送チャンネルを関連付けるデータが保存される。このデータは、東京多摩地域として特定されているデータである。
【００４１】
すなわち、ポジション番号１に、４９チャンネルのＮＨＫ総合放送が対応し、ポジション３に４７チャンネルのＮＨＫ教育が対応し、ポジション４に５１チャンネルの日本テレビが対応し、ポジション５に６１チャンネルのＭＸテレビが対応している。また同様に、ポジション番号６，８，１０にそれぞれ、５３チャンネルのＴＢＳ、５５チャンネルのフジテレビ、５７チャンネルのテレビ朝日及び５９チャンネルのテレビ東京が対応している。
【００４２】
制御部１１６は、一時保存メモリ１２５に保存された図３に示すデータを例えば、確認のため表示部１１１に表示させ、ユーザは、表示された内容で、プリセットを実行したい場合には、操作入力部１２０あるいはリモートコントローラを操作することで、図３に示すデータを設定データ保存メモリ１１９に保存させる。それによって、チャンネルプリセットが完了し、以降、例えばリモートコントローラの数字キーを操作すれば、対応するポジション番号にセットされた放送局が受信されるようになる。
【００４３】
図３に示す東京多摩地区のデータは、２００３年１２月から東京地区で開始される地上波デジタル放送のために、以前のチャンネルに対してチャンネルが変更されたものであり、図４に多摩地区の新旧のチャンネル番号表と、地上デジタル放送の東京地域のチャンネル割り当てを示している。
【００４４】
このように、今後、地上波デジタル放送は、２００６年から順次全国で開始されるようになり、アナログ放送が廃止される２０１１年までは、両放送が混在するため、地域によってはアナログ放送のチャンネルが変更されることになっており、そのような環境においては、チャンネルプリセットをやり直す必要がある。
【００４５】
したがって、チャンネルの変更に伴うチャンネルプリセットの再設定作業は、全国的に今後より高い確率で実施されることが予想されるものであり、外部のサーバーから、データを入手してチャンネルプリセット作業を実施できるようにすれば、作業能率が著しく向上するものである。
【００４６】
以上のように、地域毎にチャンネルプリセットのためのデータを外部サーバーに蓄えておき、それを取得すればプリセット作業を自動的に行なうことができるものであるが、ポジション番号に対応する放送チャンネルの選局データを都度変更するのではなく、予めその地域の放送チャンネルに識別子となる番号を付して、その識別子番号と放送チャンネルを対応付けたテーブルを用意しておけば、チャンネルプリセットをポジション番号と識別子番号とで行なうことができ、仮に放送チャンネルが変更になっても、テーブルのデータを変更するだけでプリセット更新作業を済ませることができる。
【００４７】
さらに実際の居住地が地域の境にあるような場合には、隣の地域で特定されるチャンネルの方が受信状態が良好になる場合があり、地域と対応するデータをそのまま利用することは好ましくない場合も考えられる。
【００４８】
例えば、東京を例にとると、アナログ放送のチャンネル区割りは、東京２３区、八王子、多摩、青梅沢井の４つの地域に分けられており、チャンネルプリセットデータもそれぞれの地域に分けられている。地域の境界付近に居住地が存在する場合には、良好な受信状態が得られる放送チャンネルが入り組んで存在する場合もあり、地域の区分けが必ずしも適切でなくなる場合もある。
【００４９】
そこで、隣接する複数の地域を一まとめにしてデータを管理するようにすればより適切なチャンネルプリセットが実行できることが考えられる。以下その実施の形態について説明する。
【００５０】
図５は、東京２３区と八王子地区と多摩地区をまとめて管理するようにした実施の形態を説明するための図であり、各放送局（チャンネル）に識別子としての番号を付して管理するものである。
【００５１】
すなわち、東京２３区と八王子地区と多摩地区では、現在のところ合計で２７の受信可能チャンネルが存在するため、図５に示すように、ＮＨＫ総合（東京２３区）からテレビ東京（多摩）まで、識別子を番号１から２７までの連続番号として付して区別するように構成している。
【００５２】
チャンネルプリセット作業は、例えば、テレビジョン受信装置１００を新規に購入した状態では、図２に示すように、地域を特定する郵便番号等を入力することで、サーバー１２４からチャンネルプリセットに必要なデータをダウンロードデータ一時保存メモリ１２５に一旦保存する。
【００５３】
このデータは、放送チャンネルとポジション番号を関連付けるデータであり、このデータに基づいて、チャンネルのプリセットを実行し、設定データ保存メモリ１１９にデータを保存させるものであるが、データ保存時において、放送チャンネルと識別子を対応付けたテーブルによって、放送チャンネルを識別子番号に変換して、チャンネルポジションと識別子の対としてのデータが保存されることで、チャンネルプリセットが実行される。
【００５４】
このように、放送チャンネルに識別子を対応付けたテーブルを備え、チャンネルプリセットを、チャンネルポジションと識別子とによって実行することによって、放送チャンネルが変更になった場合、放送チャンネル−識別子テーブルを変更するだけで済むため、作業を簡単に行なうことができるようになるものである。
【００５５】
さらにまた、東京２３区と八王子地区と多摩地区を一まとめにして管理しているので、例えば、地域の境界に居住地が存在して、ある放送局は、多摩地区、ある放送局は八王子地区としてプリセットしたほうが受信状態が良好になる場合等においても、チャンネルポジションと識別子を用いてチャンネルプリセットを行なうことができるようになるものである。
【００５６】
また、識別子とチャンネル番号を対応付けたデータを格納するテーブルにおいて、各放送チャンネルに対応して有効期限についての情報を格納するようにしておけば、チャンネルプリセット作業をさらに効率的に行なうことができるようになるものである。
【００５７】
図６は、図５に示す識別子とチャンネル番号を対応付けたデータに有効期限情報を組み込んだテーブルの例を示すものである。
【００５８】
東京の多摩地区においては、地上波デジタル放送開始に伴うアナログ放送チャンネルの変更は済んでおり、同じ要因でのチャンネル変更は発生しないと思われ、図６ではあくまでも一例として示している。
【００５９】
すなわち、識別子番号１のチャンネル１が２０１１年１月１日午前零時までの有効期限であり、チャンネル３３が、２００３年１２月１日の午前零時までの有効期限であり、識別子３のチャンネル４９が、２００２年１２月１日午前零時１０分から、２００４年１月１５日の午前４時３０分までを有効期限としている。
【００６０】
このように、有効期限が設定されているチャンネルについては、有効期限が経過した後で、新しいデータを自動的にサーバー１２４から取得して、そのポジションのみプリセットを再実施するように構成することが可能である。
【００６１】
あるいはまた、予め変更後のチャンネル番号が判明しているならば、有効期限が終了した時点で、テーブルのチャンネル番号データを変更するようにしてもよい。
【００６２】
図７は、有効期限を含めた処理の過程を説明するためのフローチャートである。図７において、ステップＳ７０１で開始され、ステップＳ７０２でサーバー１２４から放送局のチャンネル情報を取得しダウンロードデータ一時保存メモリ１２５に保存する。次いで、ステップＳ７０３で取得した情報から当該チャンネル情報の有効日時情報を取得する。
【００６３】
次いでステップＳ７０４で制御部１１６において現在日時情報を取得し、ステップＳ７０５で、ダウンロードデータ一時保存メモリ１２５に保存したチャンネル情報の有効日時情報と比較して、チャンネル情報の有効日時が現在日時に含まれるか否か判定する。
【００６４】
チャンネル情報の有効日時が現在日時に含まれる場合、ステップＳ７０６でチャンネル情報が有効であると判定し、次いでステップＳ７０７でチャンネル情報を設定データ保存メモリ１１９に保存し、ステップＳ７０８で処理を終了する。
【００６５】
ステップＳ７０５で、チャンネル情報の有効日時が現在日時に含まれないと判定された場合には、処理を終了する。
【００６６】
図７に示す処理は、放送受信装置１００を新たに購入した際の処理であり、本発明の受信装置においてはチャンネルプリセット作業が完了した後においても、メンテナンスのための処理を行なうものであり、その処理について、図８及び図９を参照して説明する。
【００６７】
図８は、プリセットされた選局データの有効期限を監視して、有効期限が切れた際に、サーバー１２４から新たなデータを入手して再プリセットを実行するものである。
【００６８】
すなわち、図８において、ステップＳ８０１で開始され、ステップＳ８０２で、プリセットされているチャンネル情報（選局データ）と制御部１１６で得られる現在日時情報を比較する。
【００６９】
次いで、ステップＳ８０３で、チャンネル情報の有効日時が現在日時に含まれるか否かの判定を行ない、含まれる場合にはステップＳ８０２に戻る。
【００７０】
ステップＳ８０３でチャンネル情報の有効日時が現在日時に含まれないと判定されたら、ステップＳ８０４に移行してチャンネル情報をサーバーから新たに取得する。次いでステップＳ８０５で、取得したチャンネル情報を設定データ保存メモリ１１９に書込み、ステップＳ８０６で処理を終了する。
【００７１】
この実施形態によれば、プリセット済みのチャンネル情報を監視して、有効期限が切れたら、新たなチャンネル情報を自動的に取得することができるので操作性が向上するものである。
【００７２】
また、図９は、プリセット済みのチャンネル情報の有効期限がいつかに関わらず、サーバー１２４から例えば定期的にチャンネル情報を取得して一時保存メモリ１２５に保存しておき、一時保存したチャンネル情報の有効日時と現在日時を比較して、有効日時が現在日時に含まれるようになったら、一時保存されたチャンネル情報で、再プリセット作業を実行するように構成したものである。
【００７３】
すなわち、ステップＳ９０１で開始され、ステップＳ９０２でサーバー１２４からチャンネル情報を取得して一時保存し、ステップＳ９０３で一時保存したチャンネル情報の有効日時情報と現在日時を比較し、ステップＳ９０４でチャンネル情報の有効日時が現在日時に含まれないと判定されたステップＳ９０２に戻り、含まれると判断されたら、ステップＳ９０５でそのチャンネル情報で再プリセット（設定データ保存メモリ１１９のデータの更新）をして、ステップＳ９０６で処理を終了する。
【００７４】
この実施の形態によれば、プリセット済みのチャンネルについて、その有効期限情報を逐次サーバーから取得することができるので、最新の有効期限情報に基づいて再チャンネルプリセット作業を管理することができるようになるものである。
【００７５】
以上述べた実施の形態によれば、チャンネルプリセットに必要な情報を外部のサーバーから取得し、しかもその情報を有効期限で管理するようにしたので、装置内に全く使うことにない情報を保存しておくという無駄を省くことができ、かつチャンネルプリセットを極めて効率的に実行することができるものである。
【００７６】
なお、本発明の放送受信装置は、以上説明した実施の形態に限定されるものではなく、その趣旨を変更することなく種々実施可能である。
【図面の簡単な説明】
【００７７】
【図１】本発明の放送受信装置の一実施の形態を示す回路ブロック図。
【図２】図１に示す装置の動作を説明すいるため構成図。
【図３】図１に示す装置のチャンネルプリセット状況を説明するための図。
【図４】図１に示す装置のチャンネルプリセット状況を説明するための図。
【図５】図１に示す装置におけるチャンネル選局処理の一実施の形態を説明するための図。
【図６】図１に示す装置におけるチャンネル選局処理の他の実施の形態を説明するための図。
【図７】図１に示す装置におけるチャンネルプリセット処理を説明するためのフローチャート。
【図８】図１に示す装置における再チャンネルプリセット処理の一実施の形態を説明するためのフローチャート。
【図９】図１に示す装置における再チャンネルプリセット処理の他の実施の形態を説明するためのフローチャート。
【符号の説明】
【００７８】
１００…放送受信装置
１０１…ＶＨＦアンテナ
１０２，１０４…アンテナ入力端子
１０３…ＵＨＦアンテナ
１０５…ＶＨＦチューナ
１０６…選局回路部
１０７…ＵＨＦチューナ
１０８…中間周波数信号処理部
１０９…映像信号復調部
１１０…映像信号処理部
１１１…表示部
１１２…グラフィックプロセッサ
１１３…音声信号復調部
１１４…音声信号処理部
１１５…音声出力部
１１６…制御部
１１７…ＲＯＭ
１１８…ＲＡＭ
１１９…設定データ保存メモリ
１２０…操作入力部
１２１…通信Ｉ／Ｆ部
１２２…通信端子
１２３…ネットワーク
１２４…サーバー
【図１】
2005159810.tif 000003
【図２】
2005159810.tif 000004
【図３】
2005159810.tif 000005
【図４】
2005159810.tif 000006
【図５】
2005159810.tif 000007
【図６】
2005159810.tif 000008
【図７】
2005159810.tif 000009
【図８】
2005159810.tif 000010
【図９】
2005159810.tif 000011